(57)【要約】【課題】胃ろうカテーテルによる胃ろう周りの皮膚を確実に保護するとともに、使用者にとって違和感なく痛みも感じさせることなく装着させることができる胃ろう周りの皮膚の保護用パッドを提供する。【解決手段】胃ろう周りの皮膚の保護用パッド１は、胃ろうカテーテルが挿通されるべき挿通孔１０を有するパッド本体１１と、該パッド本体１１を形成する少なくともネル生地からなる布を含む複数枚の布要素１２と、該複数枚の布要素１２を一体とするためにパッド本体１１の周縁に沿って形成されている刺繍部１４と、パッド本体１１の側面から布要素１２が露出している露出部１７とを備えている。【選択図】        図２
2020185127.tif 000002
【特許請求の範囲】
【請求項１】
胃ろうカテーテルが挿通されるべき挿通孔を有するパッド本体と、
該パッド本体を形成する少なくともネル生地からなる布を含む複数枚の布要素と、
該複数枚の布要素を一体とするために前記パッド本体の周縁に沿って形成されている刺繍部と、
前記パッド本体の側面から前記布要素が露出している露出部とを備えたことを特徴とする胃ろう周りの皮膚の保護用パッド。
【請求項２】
前記布要素は３枚以上であり、前記パッド本体は一方の面である表面と他方の面である裏面を有し、前記布要素のうち前記裏面を形成するものは皮膚に当接することから皮膚当接布となり、
前記表面には刺繍による模様部が形成されていて、
該模様部を形成するための前記刺繍は前記皮膚当接布以外の前記布要素に対して縫製されていることを特徴とする請求項１に記載の胃ろう周りの皮膚の保護用パッド。
【請求項３】
少なくとも前記皮膚当接布はネル生地で形成されていることを特徴とする請求項２に記載の胃ろう周りの皮膚の保護用パッド。
【請求項４】
前記刺繍部に沿ってその中心線の位置に前記複数枚の布要素を一体として縫い付けるための縫い部が形成されていることを特徴とする請求項１に記載の胃ろう周りの皮膚の保護用パッド。
【発明の詳細な説明】
【技術分野】
【０００１】
本発明は、胃ろうカテーテルが皮膚に直接当接して皮膚にダメージを与えることを防止するための胃ろう周りの皮膚の保護用パッドに関するものである。
【背景技術】
【０００２】
外部から胃に到達するような孔を設け、ここにカテーテルを通して直接栄養や薬等を摂取する技術が知られている。この孔は「胃ろう」と称され、カテーテルは「胃ろうカテーテル」と称されている。胃ろうカテーテルは、胃ろうに挿通されて使用される。胃ろうカテーテルにはボタン型やチューブ型があるが、いずれも安定的に固定するために幅広で板形状のストッパを有し、このストッパが皮膚に直接当接している（例えば特許文献１及び２参照）。
【先行技術文献】
【特許文献】
【０００３】
【特許文献１】特開平１１−２８５５２３公報
【特許文献２】特開２０１０−２２５１１号公報
【発明の概要】
【発明が解決しようとする課題】
【０００４】
しかしながら、ストッパが皮膚に直接当接しているので、皮膚にダメージを与えやすく、使用者にとって痛みを感じさせたり、皮膚のただれを促進させたりするおそれがある。特に胃ろう周りの皮膚はＰＥＧによる胃ろう造設によって敏感になっているので、肌をいたわるような工夫が必要である。このため、単純にストッパと皮膚の間に保護シート等を介在させるのみでは胃ろう周りの皮膚の保護とはならない。
【０００５】
本発明は、上記従来技術を考慮したものであり、胃ろうカテーテルによる胃ろう周りの皮膚を確実に保護するとともに、使用者にとって違和感なく痛みも感じさせることなく装着させることができる胃ろう周りの皮膚の保護用パッドを提供する。
【課題を解決するための手段】
【０００６】
前記目的を達成するため、本発明では、胃ろうカテーテルが挿通されるべき挿通孔を有するパッド本体と、該パッド本体を形成する少なくともネル生地からなる布を含む複数枚の布要素と、該複数枚の布要素を一体とするために前記パッド本体の周縁に沿って形成されている刺繍部と、前記パッド本体の側面から前記布要素が露出している露出部とを供えたことを特徴とする胃ろう周りの皮膚の保護用パッドを提供する。
【０００７】
好ましくは、前記布要素は３枚以上であり、前記パッド本体は一方の面である表面と他方の面である裏面を有し、前記布要素のうち前記裏面を形成するものは皮膚に当接することから皮膚当接布となり、前記表面には刺繍による模様部が形成されていて、該模様部を形成するための前記刺繍は前記皮膚当接布以外の前記布要素に対して縫製されている。
【０００８】
好ましくは、少なくとも前記皮膚当接布はネル生地で形成されている。
【０００９】
好ましくは、前記刺繍部に沿ってその中心線の位置に前記複数枚の布要素を一体として縫い付けるための縫い部が形成されている。
【発明の効果】
【００１０】
本発明によれば、パッド本体の側面には、刺繍部を形成する刺繍糸ではなく、パッド本体を形成する複数枚の布要素が露出している。刺繍糸はレーヨン等の固い糸が用いられるので、使用者にとって痛みを感じさせてしまうが、少なくともネル生地を含む布要素を露出させれば当たっても柔らかいので使用者にとって快適な使用感を与えることができる。また刺繍部よりも露出部の方が柔らかいので皮膚にダメージを与えることはない。
【００１１】
また、模様部を形成する刺繍が皮膚当接布には到達していないので、固い刺繍糸が胃ろう周りの皮膚に当接することはない。このため、使用者にとって痛みを感じさせることなく快適な使用感を与えることができる。
【００１２】
また、皮膚当接布をネル生地で形成することで、柔らかい当接感を与えることができ、皮膚にダメージを与えることをかなりの確率で抑制できる。
【００１３】
また、縫い部を形成することで、長年の使用や洗濯等により万が一刺繍部がほどけることがあっても布要素同士がばらけてしまうことを防止できる。
【図面の簡単な説明】
【００１４】
【図１】本発明に係る胃ろう周りの皮膚の保護用パッドが装着された状態を示す概略模式図である。
【図２】本発明に係る胃ろう周りの皮膚の保護用パッドの概略平面図である。
【図３】本発明に係る胃ろう周りの皮膚の保護用パッドの概略断面図である。
【発明を実施するための形態】
【００１５】
図１に示すように、本発明に係る胃ろう周りの皮膚の保護用パッド１は、胃ろう２に対して挿通される胃ろうカテーテル３と体壁４との間に介装されて用いられるものである。体壁４の外側に皮膚が配されている。胃ろう２は、体壁４の外側から胃５まで延びる貫通孔であり、具体的には体壁４及び胃５を形成する胃壁６を貫通して形成されている。胃ろうカテーテル３はこの胃ろう２に挿通され、その位置を固定するために胃ろう周りまで延びて広がるストッパ７を体壁４の外側側に有している。また、胃壁６側にも内部ストッパ８を有している。この内部ストッパ８としては、バンパー型やバルーン型が知られている。胃ろうカテーテル３には必要に応じて供給管（不図示）が挿通され、栄養や薬等が投与される。供給管を挿通しない場合には、キャップ９が閉じられる。
【００１６】
図２及び図３に示すように、胃ろう周りの皮膚の保護用パッド１は、胃ろうカテーテル３が挿通されるべき挿通孔１０を有するパッド本体１１を備えている。図ではパッド本体１１は平面視で円形のものを示し、その中央に貫通孔１１が形成され、この貫通孔１１からパッド本体１１の外周に向けて一本の切れ込み１５が設けられている。したがって、パッド本体１１は貫通孔１０が中央にあるため平面視でドーナツ形状といえるが、この切れ込み１５があるため略Ｃ字形状ともいえる。切れ込み１５の左右にはボタン１６が配設されていて、使用時には左右のボタンを重ねて嵌め込む。このため、胃ろう周りの皮膚の保護用パッド１を使用時には、パッド本体１１が一部重なっている。図１ではこの重なって使用された状態を示している。
【００１７】
パッド本体１１は一方の面が表面となり、他方の面が裏面となる。表面は体壁４の外側側に配され、裏面は体壁４側に配される。パッド本体１１は複数枚の布生地からなる布要素１２が重ねて形成されている（図では４枚の布要素）。この複数の布要素１２には、少なくとも１枚はネル生地が用いられている。そして、パッド本体１１の裏面に位置する布要素１２は皮膚に当接することから皮膚当接布１３として機能する。例えば皮膚当接布１３にネル生地を用いれば、そのネル生地の柔らかさから使用者の皮膚に対して柔らかい当接感を与えることができ、皮膚にダメージを与えることをかなりの確率で抑制できる。
【００１８】
複数枚の布要素１２は、その周縁が刺繍されて一体化してパッド本体１１となっている。すなわち、刺繍による刺繍部１４にて複数枚の布要素１２は重ねられて一体化している。刺繍部１４はパッド本体１１の周縁全周にわたって連続して形成されている。したがって、切れ込み１５の左右側にも刺繍部１４は形成され、これと連続して貫通孔１０の周縁にも刺繍部１４は形成されている。なお、図３の断面では切れ込み１５や貫通孔１０は省略している。図３に示すように、パッド本体１１の側面からは、布要素１２が露出している露出部１７が形成されている。したがって、刺繍部１４を形成する刺繍糸はあくまでパッド本体１１の表面及び裏面にのみ露出し、側面には露出していない。通常刺繍をこのような周縁部に施すと、その側面まで同時に覆うことになるが、あえてこの側面の刺繍糸を切断して布要素１２の端部をパッド本体１１の側面に露出させている。
【００１９】
これにより、パッド本体１１の側面には、刺繍部１４を形成する刺繍糸ではなく、パッド本体１１を形成する複数枚の布要素１２が露出することになる。刺繍糸はレーヨン等の固い糸が用いられるので、使用者にとって痛みを感じさせてしまうが、少なくともネル生地を含む布要素１２を露出させれば当たっても柔らかいので、使用者にとって快適な使用感を与えることができる。また刺繍部よりも露出部の方が柔らかいので皮膚にダメージを与えることはない。また、布要素１２としてネル生地を使用することで、吸水性も優れることから胃ろう２から液漏れがあったとしてもこれを吸水することができる。
【００２０】
なお、刺繍部１４に沿って、その中心線の位置には、複数枚の布要素１２を一体として縫い付けるための縫い部１９が形成されている。この縫い部１９は通常の直線縫いにて形成される。このような縫い部１９を形成することで、長年の使用や洗濯等により万が一刺繍部１４がほどけることがあっても布要素１２同士がばらけてしまうことを防止できる。図３では縫い部１９は省略している。
【００２１】
ここで、図で示すように、布要素は３枚以上、特に４枚であることが好ましい。パッド本体１１の表面にはその外観のデザイン性を高めるため、刺繍による模様部１８が形成されることが多い。この模様部１８を形成する刺繍がパッド本体１１の裏面まで到達すると、皮膚にダメージを与えるおそれがあることから、この模様部１８を形成するための刺繍は皮膚当接布１３以外の布要素１２に対して縫製されている。例えば図では４枚の布要素１２のうち、表面から２枚目までの布要素１２に対して刺繍が施されている。刺繍糸は固いため、布要素１２を４枚として模様部１８の裏側に２枚の布要素を配しておくことで、模様部１８の刺繍糸の固い感触を皮膚に伝えることを確実に防止することができる。このように、模様部１８を形成する刺繍が皮膚当接布１３には到達していないので、固い刺繍糸が胃ろう周りの皮膚に当接することはない。このため、使用者にとって痛みを感じさせることなく快適な使用感を与えることができる。
【００２２】
出願人は、胃ろうカテーテルを使用する現場に直接関わり、繰り返し洗濯をして使用することのできる保護用パッドを制作することで、使用したいときに使用でき、経済的な負担も軽減することを望んでいた。また、障害を抱えていてもお洒落を楽しんでもらいたいという思いから、使用する当人と周りの介助者の気分が変われるよう形状やデザインにも拘ることで、在宅介護生活をより豊かにしていきたいと願っている。
【符号の説明】
【００２３】
１：胃ろう周りの皮膚の保護用パッド、２：胃ろう、３：胃ろうカテーテル、４：体壁、５：胃、６：胃壁、７：ストッパ、８：内部ストッパ、９：キャップ、１０：挿通孔、１１：パッド本体、１２：布要素、１３：皮膚当接布、１４：刺繍部、１５：切れ込み、１６：ボタン、１７：露出部、１８：模様部、１９：縫い部
【図１】
2020185127.tif 000003
【図２】
2020185127.tif 000004
【図３】
2020185127.tif 000005